(57)【要約】【課題】水上設置太陽光発電装置の製造から設置までを容易に効率よく行えるようにする。【解決手段】水上設置太陽光発電装置５１を浮かべる設置水面１２の周囲の周辺陸地１３に、水上設置太陽光発電装置５１を構成する構成部品を搬入する搬入ステップと、周辺陸地１３から設置水面１２にかけて敷設された軌道２１上に往復動可能に備えられた移動支持台３１を周辺陸地１３に対応する位置に置いて、移動支持台３１の上で水上設置太陽光発電装置５１を組み立てる組み立てステップと、組み立てられた水上設置太陽光発電装置５１がのっている移動支持台３１を設置水面１２方向に移動して設置水面１２中に入れ、水上設置太陽光発電装置５１を移動支持台３１から分離して浮かせる進水ステップを有する水上設置太陽光発電装置の施工方法。【選択図】図１
2017030713.tif 000002
【特許請求の範囲】
【請求項１】
水上設置太陽光発電装置を浮かべる設置水面の周囲の周辺陸地に、前記水上設置太陽光発電装置を構成する構成部品を搬入する搬入ステップと、
前記周辺陸地から前記設置水面にかけて敷設された軌道上に往復動可能に備えられた移動支持台を前記周辺陸地に対応する位置に置いて、前記移動支持台の上で前記水上設置太陽光発電装置を組み立てる組み立てステップと、
組み立てられた前記水上設置太陽光発電装置がのっている前記移動支持台を前記設置水面方向に移動して前記設置水面中に入れ、前記水上設置太陽光発電装置を前記移動支持台から分離して浮かせる進水ステップを有する
水上設置太陽光発電装置の施工方法。
【請求項２】
前記水上設置太陽光発電装置が、水面に浮くフロート本体を前記移動支持台の上にのせた状態で、その他の前記構成部品を固定して組み立てるものである
請求項１に記載の水上設置太陽光発電装置の施工方法。
【請求項３】
前記軌道および前記移動支持台を複数組備え、これら前記軌道および前記移動支持台ごとに前記組み立てステップと前記進水ステップをずらして行う
請求項１または請求項２に記載の水上設置太陽光発電装置の施工方法。
【請求項４】
水上設置太陽光発電装置を浮かべる設置水面の周囲の周辺陸地から前記設置水面にかけて敷設された軌道と、
該軌道上に往復動可能に備えられた移動支持台を備え、
前記軌道における前記周辺陸地に対応する位置に、前記水上設置太陽光発電装置を組み立てる組み立て領域が形成され、
前記軌道における前記設置水面に対応する部位には、前記設置水面中に入り込む水中延伸部が形成された
水上設置太陽光発電装置の施工補助装置。
【請求項５】
前記移動支持台における前記設置水面側の面に、前記設置水面側に向けて傾く前記水上設置太陽光発電装置の先端面を位置決めし、前記水上設置太陽光発電装置の先端部が前記設置水面に入って浮くと、前記水上設置太陽光発電装置の先端面を解放する規制解放手段を備えた
請求項４に記載の水上設置太陽光発電装置の施工補助装置。
【請求項６】
前記移動支持台が棒状体を組んで形成され、外形面及び内部に隙間を有する
請求項４または請求項５に記載の水上設置太陽光発電装置の施工補助具装置。
【請求項７】
前記移動支持台の平面視形状が方形状であるとともに、
該移動支持台の平面視の大きさが、前記水上設置太陽光発電装置の大きさよりも小さく設定された
請求項４から請求項６のうちいずれか一項に記載の水上設置太陽光発電装置の施工補助装置。
【請求項８】
請求項４から請求項７のうちいずれか一項に記載の水上設置太陽光発電装置の施工補助装置が複数並べて構成された
水上設置太陽光発電装置の施工システム。
【発明の詳細な説明】
【技術分野】
【０００１】
この発明は、例えばため池や貯水池、養魚池、湖沼、海などのように水で覆われた場所に設置して発電を行う水上設置太陽光発電装置に関し、より詳しくは、水上設置太陽光発電装置の製造から設置までを容易に行えるようにする水上設置太陽光発電装置の施工方法に関する。
【背景技術】
【０００２】
水上設置太陽光発電装置は、たとえば下記特許文献１に開示されているように、水面に浮くフロートの上に太陽電池パネルを固定した構成である。具体的には複数のフロートの上に、これらフロートをまとめるように枠体を備え、枠体の上に複数枚の太陽電池パネルを固定している。
【０００３】
水上設置太陽光発電装置は、水上で徒に移動しないように係留する必要がある。このため、枠体には係留用ワイヤのフックを接続するワイヤ係合部が形成されている。ワイヤ係合部は、係留を行う前においては吊りワイヤのフックが係合する部分として使用される。つまり、組み立て作業時や水面への敷設時の昇降移動に利用される。
【０００４】
ここから判るように、従来の水上設置太陽光発電装置は工場で製造され、完成したものを設置場所である設置水面の近傍に搬入し、吊り上げてから設置水面に浮かべて、所定の位置に係留していた。
【先行技術文献】
【特許文献】
【０００５】
【特許文献１】特開２００１−１８９４８６号公報
【発明の概要】
【発明が解決しようとする課題】
【０００６】
しかし、水上設置太陽光発電装置を組み立ててから輸送し、水面に浮かべるのでは、吊り上げる作業が組み立て時のほか、輸送に際しての積み込み時や積み下ろし時、水上への設置時にも必要で、フックを引っ掛けたり外したりしなければならいのはもちろんのこと、クレーン等を操作しなければならず、輸送から設置までの作業は煩雑で、容易ではない。また水上設置太陽光発電装置の大きさにもよるが、一度に輸送できる数は多くない。このため施工の効率は悪い。そもそもフロートが大型の板状であるような場合には、輸送することすらできない。
【０００７】
そこでこの発明は、水上設置太陽光発電装置の製造から設置までを容易に効率よく行えるようにすることを主な目的とする。
【課題を解決するための手段】
【０００８】
そのための手段は、水上設置太陽光発電装置を浮かべる設置水面の周囲の周辺陸地に、前記水上設置太陽光発電装置を構成する構成部品を搬入する搬入ステップと、前記周辺陸地から前記設置水面にかけて敷設された軌道上に往復動可能に備えられた移動支持台を前記周辺陸地に対応する位置に置いて、前記移動支持台の上で前記水上設置太陽光発電装置を組み立てる組み立てステップと、組み立てられた前記水上設置太陽光発電装置がのっている前記移動支持台を前記設置水面方向に移動して前記設置水面中に入れ、前記水上設置太陽光発電装置を前記移動支持台から分離して浮かせる進水ステップを有する水上設置太陽光発電装置の施工方法である。
【０００９】
この構成では、搬入ステップで周辺陸地に搬入された構成部品が、組み立てステップにおいて移動支持台の上で組み立てて製造され、水上設置太陽光発電装置が完成する。水上設置太陽光発電装置を支える移動支持台は、周辺陸地から設置水面にかけて敷設された軌道上を往復動するので、進水ステップでは、製造された水上設置太陽光発電装置を製造した位置からそのまま進水させる。進水ステップでは水上設置太陽光発電装置をのせた移動支持台を設置水面中に入れるので、水上設置太陽光発電装置も一部が設置水面中に入り、水上設置太陽光発電装置はそれ自体の浮力で浮き上がり、移動支持台から分離し、設置水面に浮かぶ。このあとは、設置水面における所定の位置に曳航して係留する。設置水面中に進入した移動支持台は引き上げられて、次の水上設置太陽光発電装置の製造と進水に備える。
【００１０】
別の手段は、水上設置太陽光発電装置を浮かべる設置水面の周囲の周辺陸地から前記設置水面にかけて敷設された軌道と、該軌道上に往復動可能に備えられた移動支持台を備え、前記軌道における前記周辺陸地に対応する位置に、前記水上設置太陽光発電装置を組み立てる組み立て領域が形成され、前記軌道における前記設置水面に対応する部位には、前記設置水面中に入り込む水中延伸部が形成された水上設置太陽光発電装置の施工補助装置である。
【００１１】
この構成では、軌道上の組み立て領域に置かれた移動支持台は、水上設置太陽光発電装置を組み立てて製造するための支持体として機能し、水上設置太陽光発電装置の完成後はそのまま設置水面に向けて移動することで水上設置太陽光発電装置を進水させる移動体として機能する。軌道には水中延伸部が形成されているので、移動支持台を水中延伸部に移動させることによって、移動支持台を設置水面中に進入させることができる。設置水面中に入った移動支持台は上にのせた水上設置太陽光発電装置の一部を設置水面中に入れることになる。一部が水中に入った水上設置太陽光発電装置はそれ自体の浮力で浮き上がり、移動支持台から分離し、設置水面に浮かぶ。往復動する移動支持台は、設置水面中から引き上げられて、次の水上設置太陽光発電装置の製造と進水に備える。
【発明の効果】
【００１２】
この発明によれば、組み立てて製造される水上設置太陽光発電装置は、周辺陸地において移動支持台の上で製造されてそのまま設置水面に進水するので、水上設置太陽光発電装置を輸送したり移し替えたりする作業は不要である。製造し次第、順次設置水面に浮かべて設置することができる。このため、水上設置太陽光発電装置の製造から設置までの施工が容易に効率よく行える。
【図面の簡単な説明】
【００１３】
【図１】水上設置太陽光発電装置の施工システムの作用状態を示す平面図。
【図２】水上設置太陽光発電装置の斜視図。
【図３】フロート本体の斜視図。
【図４】フロート本体とパネル架台の斜視図。
【図５】フロート本体に側面カバーを固定する状態を示す斜視図。
【図６】パネル架台に太陽電池パネル等を固定する状態を示す斜視図。
【図７】水上設置太陽光発電装置の施工システムの平面図。
【図８】水上設置太陽光発電装置の施工補助具の設置状態を示す側面図。
【図９】水上設置太陽光発電装置の施工補助具の斜視図。
【図１０】移動支持台の側面図。
【図１１】移動支持台の平面図。
【図１２】規制解放手段の斜視図。
【図１３】移動支持台と組み付け前のフロート本体の斜視図。
【図１４】進水ステップを説明する側面図。
【図１５】進水ステップにおける水上発電装置の浮き上がりを示す側面図。
【発明を実施するための形態】
【００１４】
この発明を実施するための一形態を、以下図面を用いて説明する。
【００１５】
図１は、水上設置太陽光発電装置の施工システム１１（以下「施工システム」という）の作用状態を示す平面図である。この施工システム１１は、水上設置太陽光発電装置の施工補助装置１１ａ（以下「施工補助装置」）を平行に並べて構成している。
【００１６】
施工システム１１では、水上設置太陽光発電装置５１（以下「水上発電装置」という）を組み立てて製造するとともに、設置水面１２に進水させる。設置水面１２は、水上発電装置５１を浮かべる水面で、ため池や貯水池、養魚池、湖沼、海などがあるが、図１は、ため池に設置した施工システム１１の例を示している。
【００１７】
まず、水上発電装置５１について説明する。
【００１８】
水上発電装置は、図２に示したように、水面に浮く方形板状のフロート本体５２の上面にパネル架台５３を備え、このパネル架台５３に太陽電池パネル５４を固定して構成されている。
【００１９】
フロート本体５２は、図３に示したように、複数枚の発泡樹脂板５５をその端面同士を合わせて正方形に組み合わせて構成する。これはフロート本体５２の大きさが既製の発泡樹脂板では賄えないからであり、フロート本体５２の大きさが小さい場合や所望の大きさの発泡樹脂板を製造できる場合には一枚の板材で構成することもできる。
【００２０】
発泡樹脂板５５には、例えばたてよこ１ｍ×２ｍのものを使用し、例えば５ｍ×５ｍのフロート本体５２とする。図３に示した例では、中央に１ｍ×１ｍの発泡樹脂板５５を備え、その周囲に１ｍ×２ｍの発泡樹脂板５５を配置して５ｍ×５ｍのフロート本体５２を形成している。発泡樹脂板５５の厚さは、十分な浮力が得られるように、使用する太陽電池パネル５４の重量や枚数等に応じて適宜のものが使用される。例えば１５ｃｍ〜２０ｃｍ程度の厚さにする、付属する設備重量に見合った浮力が得られ、高い安定性が得られる。発泡樹脂板５５同士の間は、必要に応じて接着剤等の適宜の手段で接合してもよい。
【００２１】
発泡樹脂板５５の上面には、図３に一部を拡大して示したように、発泡樹脂板５５の平面視形状と同形同大の保護板５６が取り付けられている。保護板５６は、耐候性、特に紫外線に対して耐候性の良い適宜の材料で形成された板状である。これには、たとえばケイ酸カルシウム
板を好適に使用できる。
【００２２】
複数枚の発泡樹脂板５５は同一平面上に隙間なく並べられて一枚の正方形板状のフロート本体５２となる。このフロート本体５２の上面に、図４に示したように、格子状に組み立てられたパネル架台５７が固定される。パネル架台５７は、平面視帯状で間隔を隔てて平行に並ぶ複数本の補助プレート５８と、これら補助プレート５８の上面で直交し補助プレート５８を結合する架台ベース５９で構成されている。架台ベース５９には、太陽電池パネルを固定するため、図２に示したように支持部６０が立設される。
【００２３】
補助プレート５８は、接合する複数の発泡樹脂板５５同士の結合一体化をはかるもので、補助プレート５８の全体形状はフロート本体５２の一辺の長さに対応する細幅の中空板状で、長手方向に沿った両側縁にはＬ形の縁部５８ａを有している。また補助プレート５８の上面には、複数の長穴５８ｂが形成されている。
【００２４】
架台ベース５９はフロート本体５２の一辺の長さに略対応する長さの長尺の棒状で、２本を一組として複数組、図示例では３組の架台ベース５９が、補助プレート５９の長手方向に間隔をあけて平行に配設されている。架台ベース５９にはアングル材が用いられ、直角をなす２片のうちの一片が補助プレート５８に対して前述の長穴５８ｂを利用して固定され、他片が補助プレート５８上で起立する。一組の架台ベース５９は、対をなす一方と他方でアングル材の向きが反対、具体的には背中合わせになるように補助プレート５８に対して固定される。
【００２５】
架台ベース５９で一体化された補助プレート５８をフロート本体５２の上面に固定するとフロート本体５２を構成する発泡樹脂板５５は結合一体化されるが、これに加えて、図５、図６に示したように、側面カバー６５とコーナーカバー６６が取り付けられる。これら側面カバー６５とコーナーカバー６６には、耐候性、特に紫外線に対する耐候性を有するものが使用される。
【００２６】
具体的に、側面カバー６５とコーナーカバー６６はアルミニウム合金製で、断面コ字状に形成されている。側面カバー６５の高さは補助プレート５８の上面からフロート本体５２の下面までの高さに嵌合対応する高さである。側面カバー６５は短いものを用いて継ぎ足して使用することもできる。コーナーカバー６６は、平面視アングル状で断面逆Ｌ字形に形成されている。コーナーカバー６６は補強の役割も果たせるようにするのが好ましいので、側面カバー６５を固定したのち、コーナーカバー６６の両端部を側面カバー６５の端部に重ねる。コーナーカバー６６の下端角部には、フロート本体５２の底面における対角線上に張る２本のワイヤ６７の端部を固定するための固定金具６８が固定される。
【００２７】
図示は省略するが、フロート本体５２の底面に耐候性を有する材料からなる結束材を縦横に掛け渡して、強度向上などをはかってもよい。結束材としては、たとえばアルミニウム合金製で帯状をなす薄いバンドを用い、これをフロート本体の底面のたてよこ２方向に延ばして、固定した側面カバーの外面に結束材の両端部を固定する。この場合、側面カバーを継ぎ足して使用したときには、その継ぎ目を結束材で覆うとよい。
【００２８】
パネル架台５３の架台ベース５９に取り付けられる支持部６０は、前脚６１と後脚６２と、これらの上に掛け渡されて太陽電池パネル５４を受ける受け部材６３で構成される。これらは、太陽電池パネル５４を複数列、図示例では３列配置できるように、一組の架台ベース５９の長手方向に沿って隙間をあけて３組ずつ配設されている。前脚６１は後脚６２よりも低く設定され、受け部材６３は前脚６１側が下がるように傾斜する。受け部材６３の傾斜角は変更できるように構成してもよい。前脚６１には斜材６１ａを設けて強度を高め、後脚６２には一組の架台ベース５９上の後脚６２同士をＸ字状に連結する斜材６２ａを設けて強度を高めている。後脚６２のうち、最も北側に位置する列の後脚６２間には、風よけ部材６４が取り付けられる。風よけ部材６４は、耐候性のあるアルミ板やテント用帆布などの適宜の材料で、後脚６２間の空間を塞ぐような長方形状に形成される。大きさは空間を全部塞ぐものでなくとも、大量の風の進入を阻止できるものであればよい。風よけ部材６４の固定は前述の斜材６２ａの固定と同時に行う。
【００２９】
このようにして構成されるパネル架台５３に固定した支持部６０の上、つまり受け部材６３の上に太陽電池パネル５４を固定し、配線を行えば、水上発電装置５１は完成する。
【００３０】
このように水上発電装置５１は、水面に浮くフロート本体５２の周囲と上面に構成部品を固定して組み立てられる構成である。つまり、適宜の台の上にフロート本体５２をのせれば、その状態のままその他の構成部品を固定して組み立てができる構成である。
【００３１】
つぎに、施工システムを構成する施工補助装置１１ａについて説明する。
【００３２】
施工補助装置１１ａは、図７に示したように、水上発電装置５１を浮かべる設置水面１２の周囲の周辺陸地１３から設置水面１２にかけて敷設された軌道２１と、軌道２１上に往復動可能に備えられた移動支持台３１を備えている。図７は設置水面１２と周辺陸地１３を上方から見た平面図であり、設置水面１２であるため池の周囲の周辺陸地１３は、図８にも示したように、平坦部１３ａと傾斜部１３ｂを有する。平坦部１３ａとは、水平な状態のほか、それに準ずる状態を含む意味である。傾斜部１３ｂは、水底に向けて傾斜する部分であり、傾斜部１３ｂの長さは、水量に応じて変化する。
【００３３】
軌道２１は、２本一組のレール２２で構成される。レール２２は図９に示したように、断面略Ｕ字形状で、上面に凹溝２２ａを有する。これらレール２２２は、レール２２と直交する複数本のレール支持材２３で所定間隔に保持される。
【００３４】
軌道２１における周辺陸地１３に対応する位置、具体的には平坦部１３ａに対応する位置に、水上発電装置５１を組み立てる組み立て領域２４（図７参照）が形成されている。組み立て領域２４は、図７に示したように、レール２２及びレール支持材２３を支え、できうる限り水平になるように、適宜の支承構造２５で支えて構成されている。
【００３５】
軌道２１は、組み立て領域２４から、図８に示したように傾斜部１３ｂに向けて延びる。傾斜部１３ｂに至るまでの部分は、傾斜部１３ｂに向かって下がるように若干傾斜していてもよい。軌道２１は、傾斜部１３ｂからは傾斜部１３ｂの傾斜に沿って斜め下に延び、設置水面１２に対応する部位には、設置水面１２中に入り込む水中延伸部２６が形成されている。ため池の場合、傾斜部１３ａの傾斜角度にあまり違いはないが、必ずしも傾斜部１３ｂの傾斜に沿って延ばすのではなく、あらかじめ定めた一定の傾斜で伸ばしてもよい。この場合には、適宜の構造を用いてレール２２またはレール支持材２３を必要な強度で支えるとよい。水中延伸部２６は、水上発電装置５１を浮かせるのに必要な適宜深さまで延びる。図８に示したように、例えばため池の底部まで延ばしてもよい。水中延伸部２６の先端側部位２６ａは傾斜したままでもよいが、図８に示したように水平または若干上方に向けて曲げてもよい。
【００３６】
軌道２１上を走行する移動支持台３１は、図９に示したように棒状体３２、具体的には角パイプやアングル材などを組んで形成される。より好ましくは角パイプを用いるのがよい。強度を得られる上に、水中に入る時も水中から出るときも、向きに関わらず水の抵抗を小さくすることができるからである。
【００３７】
移動支持台３１の平面視形状は方形状であり、具体的には平面視正方形の六面体形状で、外形面、つまり六面と、内部に隙間を有する。移動支持台３１の下面における軌道２１に対応する部位には、軌道２１の凹溝２２ａ内を走行する車輪３３，３４が設けられている。
【００３８】
車輪３３，３４は、図１０にも示したように、軌道２１に対応して前後方向に４個ずつ並べて備え、中間の２個の車輪３３は前後両側の２個の車輪３４よりも大きく、接地高さが低い。換言すれば、前後両側２個の車輪３４を小さくするとともに固定位置を高くして、接地高さを高くしている。
【００３９】
また、移動支持台３１の下面における軌道２１に対応する部位であって接地高さが低い内側の２個の車輪３３の間には、前後方向及び左右方向に棒状体３２が存在しない構成とする。これは、軌道２１における平坦部１３ａに対応する部位と傾斜部１３ｂに対応する部位の山形の部分で、軌道２１と棒状体３２が干渉するのを回避するためである。
【００４０】
移動支持台３１の前後方向における設置水面１２とは反対側の部位には、チェーンブロック等の引き揚げ機（図示せず）の牽引部材３５を接続しており、移動支持台３１を設置水面１２方向に下ろしたり周辺陸地１３方向に引き上げたりできるように構成されている。
【００４１】
移動支持台３１の平面視の大きさは、図１１に示したように、水上発電装置５１、具体的にはフロート本体５２の大きさよりも小さく設定されている。これは、主として、前述の側面カバー６５やコーナーカバー６６を固定するためであり、移動支持台３１の上面の大きさは、固定する側面カバー６５やコーナーカバー６６と干渉しない大きさである。
【００４２】
また、移動支持台３１の上面には、図９、図１１に示したように、前述のワイヤ６７を収容する直線状の対角線上凹所３６が対角線上に２本形成されている。また、移動支持台３１の上面より下に、左右方向に延びる棒状の吊り上げ用支持部材（図示せず）を収める左右方向凹所が２箇所に平行に形成されている。これは、移動支持台３１上の水上発電装置５１を、クレーンなどを用いて予備的に吊り上げられるようにするためのものである。
【００４３】
図１１、図１２に示したように、移動支持台３１の前後方向における設置水面１２側の面に、設置水面１２に向けて下に傾く水上発電装置５１の先端面を位置決めし、水上発電装置５１の先端部が設置水面１２に入って浮くと、水上発電装置５１の先端面を開放する規制解放手段３８を備えている。
【００４４】
規制解放手段３８は、移動支持台３１の前面から突出する支持体３９と、支持体３９の先端の規制体４０で構成されている。支持体３９は、略横Ｌ字形状で、上面が移動支持台３１の上面よりも若干下に位置するように固定されている。これはフロート本体５２を持ち上げずとも側面カバー６５を取り付けられるようにするためである。
【００４５】
規制体４０はゴム製の長方形板状で、外面にはそれよりも小さい長方形状の補助板４１が添えられる。これら規制体４０と補助板４１は、支持体３９の先端部にボルト４２で回転可能に取り付けられている。規制体４０は上下方向に偏った位置に前述のボルト４２を備えている。規制体４０を支持体３９の上面よりも上方に突出させた姿勢、つまり図１２に実線で示した姿勢では、規制体４０はフロート本体５２に接触し、規制体４０を下に向けて回転した姿勢（図１２の仮想線の姿勢）では、規制体４０はフロート本体５２に干渉しないように設定される。規制体４０を回転するときにはボルト４２を緩める。
【００４６】
つづいて、前述のような施工システム１１または施工補助装置１１ａを用いて行われる水上発電装置５１の施工方法について説明する。
【００４７】
水上発電装置５１の施工方法は、水上発電装置５１を浮かべる設置水面１２の周囲の周辺陸地１３に、水上発電装置５１を構成する構成部品を搬入する搬入ステップと、周辺陸地１３から設置水面１２にかけて敷設された軌道２１上に往復動可能に備えられた移動支持台３１を周辺陸地１３に対応する位置に置いて、移動支持台３１の上で水上発電装置５１を組み立てる組み立てステップと、組み立てられた水上発電装置５１がのっている移動支持台３１を設置水面１２方向に移動して設置水面１２中に入れ、水上発電装置５１を前記移動支持台３１から分離して浮かせる進水ステップを有する。
【００４８】
搬入ステップでは、図示は省略するが、前述の水上発電装置５１を構成する構成部品をすべて周辺陸地１３に搬入する。この場合の周辺陸地１３は、図１に示したような設置水面に極近い位置だけではなく、それよりも広い範囲を含む意味である。周辺陸地１３の状態に応じて搬入場所や軌道２１の敷設場所は適宜設定される。
【００４９】
組み立てステップでは、搬入した構成部品を用いて水上発電装置５１を製造する。具体的には、軌道２１上における周辺陸地１３の平坦部１３ａに対応する位置に形成された組み立て領域２４に移動支持台３１を置き、図１３に示したように、移動支持台１３の上面に２本のワイヤ６７を置く。２本のワイヤ６７は、対角線上凹所３６に沿ってのばして置かれ、両端に備えられたターンバックル６７ａを対角線上凹所３６から突出させる。
【００５０】
前述の結束材を用いる場合には、ワイヤ６７を置いた上に結束材を置く。
【００５１】
このような準備をしたのち、移動支持台３１の上にフロート本体５２を形成する。つまり、図１３に示したように保護板５６を備えた複数の発泡樹脂板５５を移動支持台３１の上面に配設して図３に示したようなフロート本体５２とする。このとき、フロート本体５２の中心と移動支持台３１の中心を一致させる。規制解放手段３８の規制体４０を立てれば、この作業がしやすい。
【００５２】
このような作業を行う一方で、周辺陸地１３において補助プレート５８と架台ベース５９を結合してパネル架台５３を組み立てる。架台ベース５９には支持部６０までを一体化してもよいが、支持部６０の取り付けは後でも十分に行える。
【００５３】
図４に示したように、格子状をなすパネル架台５３をフロート本体５２の上に固定した後に、図５に示したように側面カバー６５を取り付け、続いて図６に示しようにコーナーカバー６６を取り付けたのち、コーナーカバー６６の固定金具６８にワイヤ６７のターンバックル６７ａを固定して、ワイヤ６７を張る。
【００５４】
これと並行して、フロート本体５２の上面では、架台ベース５９に支持部６０を固定し、支持部６０に風よけ部材６４や太陽電池パネル５４を固定してから、配線を行う。
【００５５】
このようにして水上発電装置５１を完成させてから進水ステップに移行する。進水ステップでは、引き揚げ機を駆動して図１４に示したように、移動支持台３１を設置水面２１方向にゆっくり移動させる。移動は、移動支持台３１が設置水面２１中に進入し、水上発電装置５１が自らの浮力で水面に浮き、移動支持台３１から離れるまで行う。
【００５６】
移動支持台３１が水中に入ると、移動支持台３１の規制解放手段３８が水上発電装置５１の傾斜下端を支えているだけであるので、水上発電装置５１は、図１５に示したように、先端が水中に入ると浮力が働いて浮かび上がろうとする。このとき、接触抵抗で保持している規制体４０が水上発電装置５１を解放して浮かび上がらせる。これによって水上発電装置５１は移動支持台３１から離れて設置水面１２に浮かぶ。
【００５７】
水上発電装置５１が設置水面２１に浮いた後は、引き揚げ機を逆回転して移動支持台３１を引き上げて組み立て領域２４に戻す。
【００５８】
図１に示したように、施工システム１１が軌道２１および移動支持台３１で構成される施工補助装置１１ａを複数並べて構成された場合には、施工補助装置１１ａごとに前述の組み立てステップと進水ステップをずらして行う。図１では、一番左の図において、組み立てステップのうち、設置水面中から引き揚げた移動支持台を組み立て領域に置いてフロート本体５２を組み立て、パネル架台を固定する状態を示し、左から二番目の図において、組み立てステップのうち、フロー本体５２に側面カバー６５や支持部６０を固定する状態を示し、左から三番目の図において、組み立てステップのうち、支持部６０に太陽電池パネル５４などを固定し配線を行う状態を示している。一番右の図においては、完成した水上発電装置５１を進水させる進水ステップを示している。
【００５９】
もっとも、施工システム１１を構成する施工補助装置１１ａの数が多い場合には、いくつかの施工補助装置１１ａ同士の間で組み立てステップや進水ステップが同期する場合もある。
【００６０】
進水させられた水上発電装置５１は、設置水面１２の所定位置に曳航し、適宜係留すれば、設置は完了する。
【００６１】
以上のように、搬入ステップにおける構成部品の搬入を周辺陸地に行い、組み立てステップでその構成部品を用いて水上発電装置５１を組み立てて製造を行う。この製造は施工補助具の移動支持台３１の上で行い、完成したら進水ステップに移行して、完成時の状態のまま移動支持台３１を軌道２１上で移動させて設置水面１２中に沈めれば、自動的に水上発電装置５１が進水することになる。つまり、水上発電装置５１の組み立ては設置水面１２の近くで行われ、組み立てられた水上発電装置５１はそのまま進水して所望の設置状態とするこができる。
【００６２】
特に、移動支持台３１の上で行う組み立てステップは、水上発電装置５１の構成が、水面に浮くフロート本体５２を移動支持台３１の上にのせた状態でその他の構成部品を固定して組み立てられる構成であるので、フロート本体５２を吊り上げたり移動させたりする必要もない。このため組み立て作業は簡単に行える。
【００６３】
移動支持台３１の上面には対角線上凹所３６を有するので、フロート本体５２の底面にワイヤ６７を張って強度を高めることをしても、フロート本体５２を損傷したりするおそれもなく、安定性のよい水上発電装置５１を製造できる。
【００６４】
移動支持台３１の上面の大きさはフロート本体５２の大きさよりも小さいが、規制解放手段３８を有するので、所定の位置に合わせることが簡易迅速に行え、正確な組み立て作業を効率よく行える。
【００６５】
移動支持台３１の上面よりも水上発電装置５１の大きさの方が大きく、そのうえ移動支持台３１は棒状体３２を組んで構成されているので、進水時に浮力が働きやすい。このため、必要以上に水上発電装置５１の上面を濡らさずに進水が行える。
【００６６】
移動支持台３１は棒状体３２を組んで構成しているので、設置水面１２から水中に入る時も水中から出るときも、水の抵抗を受けにくく、移動が円滑で、負荷もかかりにくい。このため、特に移動支持台３１が水中に入る時に急激に速度が変わったり軌道２１から脱線したりすることはなく、水上発電装置５１を安全に進水させることができる。
【００６７】
移動支持台３１の上で製造された水上発電装置５１はそのまますぐに進水させるので、水上発電装置５１を輸送したり移し替えたりする作業は不要で、自らの浮力で自動的に浮かぶので、進水に際して力をかける必要もない。このため、クレーンなどの装置が不要であるばかりか、作業員の負担も小さくて済み、進水が容易に行える。
【００６８】
しかも、製造するたびに水上発電装置５１を進水させるので、作業は効率よく行える。
【００６９】
複数の施工補助装置１１ａを用いる場合には、図１に示したように、組み立てステップと進水ステップを施工補助装置１１ａの数に応じて適宜ずらして行うことによって、効率を向上できる。
【００７０】
したがって、水上設置太陽光発電装置の製造から設置までの施工が容易に効率よく行える。
【００７１】
以上の構成はこの発明を実施するための一形態の構成であって、この発明は前述の構成のみに限定されるものではなく、その他の構成を採用することもできる。
【００７２】
たとえば、移動支持台は車輪ではなくチェーンなど、その他の機構で移動するものであってもよい。
【００７３】
水上設置太陽光発電装置の施工補助装置は、周辺陸地に傾斜部がない場所に設置してもよい。
【符号の説明】
【００７４】
１１…水上設置太陽光発電装置の施工システム
１１ａ…水上設置太陽光発電装置の施工補助装置
１２…設置水面
１３…周辺陸地
２１…軌道
２４…組み立て領域
２６…水中延伸部
３１…移動支持台
３２…棒状体
３８…規制解放手段
５１…水上設置太陽光発電装置
５２…フロート本体
【図１】
2017030713.tif 000003
【図２】
2017030713.tif 000004
【図３】
2017030713.tif 000005
【図４】
2017030713.tif 000006
【図５】
2017030713.tif 000007
【図６】
2017030713.tif 000008
【図７】
2017030713.tif 000009
【図８】
2017030713.tif 000010
【図９】
2017030713.tif 000011
【図１０】
2017030713.tif 000012
【図１１】
2017030713.tif 000013
【図１２】
2017030713.tif 000014
【図１３】
2017030713.tif 000015
【図１４】
2017030713.tif 000016
【図１５】
2017030713.tif 000017